(57)【特許請求の範囲】
【請求項１】
１本のフィルムまたは一連のフィルムに記録された原画像を多数画素に分割すると共に、少なくとも３原色に色分解して測光する測光手段と、
前記フィルムの所定部分に記録された基準画像を測光してフィルム特性データを抽出する抽出手段と、
前記抽出したフィルム特性データを記憶する第１の記憶手段と、
前記フィルムと同一フィルム種の多数本のフィルムにわたるフィルム特性データを記憶する第２の記憶手段と、
前記原画像の測光値に基づいて当該原画像の特徴を表す画像特徴データを生成する画像特徴データ生成手段と、
前記フィルムに含まれる多数コマについての前記画像特徴データを記憶する第３の記憶手段と、
前記フィルムと同一フィルム種の多数本のフィルムにわたる多数コマについての画像特徴データを記憶する第４の記憶手段と、
前記第１の記憶手段及び第２の記憶手段に記憶されたフィルム特性データ及び前記第３の記憶手段及び第４の記憶手段に記憶された前記画像特徴データの少なくとも２つのデータを用いて露光量を決定するための露光演算式を決定する決定手段と、
前記決定した演算式に基づいて、前記原画像の画像特徴データから露光量を求める露光量演算手段と、
前記露光量演算手段で求めた露光量に基づいて露光制御する露光制御手段と、
を備えたカラー複写装置。
【請求項２】
前記決定手段では、前記第１の記憶手段及び第２の記憶手段に記憶されたフィルム特性データ及び前記第３の記憶手段及び第４の記憶手段に記憶された前記画像特徴データの少なくとも２つのデータ及び前記画像特徴データ生成手段で生成された画像特徴データを用いて露光量を決定することを特徴とする請求項３に記載のカラー複写装置。
【請求項３】
前記原画像の画素を選択するための画素選択手段を更に備え、前記画像特徴データ生成手段では、前記原画像から選択された画素の測光値に基づいて当該原画像の特徴を表す画像特徴データを生成することを特徴とする請求項１または請求項２に記載のカラー複写装置。
【請求項４】
前記画素選択手段は、前記フィルム特性データに基づいて画素を選択することを特徴とする請求項３に記載のカラー複写装置。
【請求項５】
前記画素選択手段は、前記画像特徴データに基づいて画素を選択することを特徴とする請求項３に記載のカラー複写装置。
【発明の詳細な説明】
【０００１】
【産業上の利用分野】
本発明は、カラー複写装置にかかわり、特に、カラー原画像の露光量を決定して複写画像を作成するアナログプリンタやデジタルプリンタを含むカラー複写装置に関する。
【０００２】
【従来の技術】
カラーネガフィルムに記録された原画像を印画紙等の複写材料に複写するに際し、原画像を透過したＢ（青）、Ｇ（緑）、Ｒ（赤）の３色の光の割合を一般的に略一定の割合にすればよいことが経験則上知られている。このため、写真焼付装置では次式に基づいて露光量を決定している。
【０００３】
ｌｏｇＥj ＝Ｋj ＋Ｄj ・・・（１）
但し、ｌｏｇＥは露光量の対数、Ｋは定数、Ｄは測光系で測光した原画像の濃度（例えば、ＬＡＴＤ）、ｊはＲ、Ｇ、Ｂの何れかの色を表す。また、上記（１）式に基づいて求めた露光量により写真焼付装置で原画像の焼付けを行うと、写真焼付装置や複写材料の特性によって露光不足の原画像からのプリントは適正露光の原画像からのプリントと比較して全体的に濃度が高く、露光過度の原画像からのプリントは濃度が低くなることがある。このため、原画像の濃度に応じて式（１）のＤj を補正し、露光量を決定するようにしている。
【０００４】
しかしながら、原画像を測光した測光データのみを用いて決定した露光量ではプリント間の色、濃度が揃っておらず、良好な仕上がりのプリントが得られないことがある。
【０００５】
１本のフィルムまたは所定数の原画像が連続する一連のフィルムでは、フィルムの特性が同一または類似しているので、プリントすべきコマ（以下、プリントコマという。）の原画像の各々の特性も類似的である。このプリントコマの原画像を良好な色に焼付けるために、各原画像の画像濃度についてプリントコマを含む一連のフィルムコマ、またはプリントコマを含む１本のフィルムコマについての原画像の平均濃度値と各原画像の濃度を用いて露光量を決定することが知られている（特開昭５１−１１２３４５号公報参照）。これにより、１本または一連のフィルムの色及び濃度のバラツキを抑えることができる。
【０００６】
しかしながら、フィルムには、標準的な状態のフィルム（以下、正常フィルムという。）に対して異なる状態の異常なフィルム（以下、異常フィルムという。）がある。この異常フィルムには、特性が経時劣化したフィルム、昼光以外の撮影光源により撮影された原画像を含むフィルム、及び現像所毎に異なる現像状態の中で著しく不良な現像状態で現像されたフィルム等が例に挙げられる。上記のような方法では、異常フィルムか正常フィルムかを区別して、そのための露光量決定をしない限り、どちらかのフィルムのプリントは良好な仕上がりが得られない。
【０００７】
また、特開昭５４−１１０８２９号公報には、１本のフィルムの原画像の平均濃度値に代えてグレーステップ画像を焼込み、プリントコマの平均濃度に相当するグレーステップ画像の濃度とプリントコマの濃度に基づいて露光制御する技術が開示されている。この技術では、グレーステップ画像が１本のフィルムまたはフィルム種について多数のフィルムの平均的な特性を有しているときには、高品質でプリントを作成できるが、平均的特性から外れるに従ってプリント品質が劣化する。また、カラー複写装置ではこの平均的特性を判別できないので、得られるプリントが良好な仕上がりでないことがある。
【０００８】
さらに、正常フィルム及び異常フィルムの何れにも他の原画像と特性が異なる特異な原画像のコマ（以下、異常コマという。）が含まれることがある。このような異常コマの原画像からプリントを得ようとすると、他の原画像と同様の特性で露光量が決定されるので、良好な仕上がりのプリントを得ることができなかった。
【０００９】
一般的に、異常コマと想定されるコマは、高いカラーコレクションで露光量を決定すれば良好なプリントが得られることはよく知られているが、異常コマの判定に際し、判定ミスが生じた場合には、カラーフェリアが生じて、好ましくない色のプリントが形成されることになる。従って、異常コマについての高い判定精度が要求される。
【００１０】
上記の異常コマを検出するものとして、プリントコマを含む１本のフィルムの異常原画識別用特性値（画面中の各色最大濃度、高彩度色の面積等）を求め、この特性値の平均値を用いて異常コマを見いだす技術が提案されている（特開昭５７−２１１１３６号公報）。この異常コマには、異常フィルムと同様に、経時劣化したフィルムに記録された原画像、昼光以外の撮影光源で撮影されたフィルムに記録された原画像、及び現像所毎に異なる現像状態で現像されたフィルムに記録された原画像等がある。この技術では、異常コマを見いだす判定方法を開発するのに、多くの時間と労力を必要とし効率的でなかった。また、青空等の色の偏った被写体の写ったフィルムを誤判定する欠点があった。
【００１１】
【発明が解決しようとする課題】
本発明は上記事実を考慮して成されたもので、経時劣化によるフィルム、昼光以外の撮影光源による原画像を含むフィルム、及び現像所毎に異なるように現像状態のばらついたフィルム等のフィルム特性の変化に拘わらず常に高品質のプリントを得ることができるカラー複写装置を得ることが目的である。
【００１２】
【課題を解決するための手段】
上記目的を達成するために本発明は、１本のフィルムまたは一連のフィルムに記録された原画像を多数画素に分割すると共に、少なくとも３原色に色分解して測光する測光手段と、前記フィルムの所定部分に記録された基準画像を測光してフィルム特性データを抽出する抽出手段と、前記抽出したフィルム特性データを記憶する第１の記憶手段と、前記フィルムと同一フィルム種の多数本のフィルムにわたるフィルム特性データを記憶する第２の記憶手段と、前記原画像の測光値に基づいて当該原画像の特徴を表す画像特徴データを生成する画像特徴データ生成手段と、前記フィルムに含まれる多数コマについての前記画像特徴データを記憶する第３の記憶手段と、前記フィルムと同一フィルム種の多数本のフィルムにわたる多数コマについての画像特徴データを記憶する第４の記憶手段と、前記第１の記憶手段及び第２の記憶手段に記憶されたフィルム特性データ及び前記第３の記憶手段及び第４の記憶手段に記憶された前記画像特徴データの少なくとも２つのデータを用いて露光量を決定するための露光演算式を決定する決定手段と、前記決定した演算式に基づいて、前記原画像の画像特徴データから露光量を求める露光量演算手段と、前記露光量演算手段で求めた露光量に基づいて露光制御する露光制御手段と、を備えている。
【００１３】
また、本発明のカラー複写装置において、前記決定手段では、前記第１の記憶手段及び第２の記憶手段に記憶されたフィルム特性データ及び前記第３の記憶手段及び第４の記憶手段に記憶された前記画像特徴データの少なくとも２つのデータ及び前記画像特徴データ生成手段で生成された画像特徴データを用いて露光量を決定することができる。
【００１４】
また、本発明のカラー複写装置において、前記原画像の画素を選択するための画素選択手段を更に備え、前記画像特徴データ生成手段では、前記原画像から選択された画素の測光値に基づいて当該原画像の特徴を表す画像特徴データを生成することができる。
【００１５】
また、本発明のカラー複写装置において、前記画素選択手段は、前記フィルム特性データに基づいて画素を選択することができる。
【００１６】
また、本発明のカラー複写装置において、前記画素選択手段は、前記画像特徴データに基づいて画素を選択することができる。
【００１７】
【作用】
本発明によれば、１本のフィルムまたは一連のフィルムの所定部分には、予め定めた基準画像が記録されている。この基準画像を測光しフィルム特性データを抽出手段で抽出し、抽出したフィルム特性データを記憶する。フィルム特性データには、フィルムの３色平均濃度、この濃度に対する各色濃度や色差等の色バランス、所定の露光量に対する濃度、フィルムのベース濃度、単色光源に対する各色濃度または平均濃度、白色光源に対する各色濃度または平均濃度、単色光源及び白色光源に対する各色濃度差または平均濃度差色や濃度ヒストグラム、累積曲線等を採用することができる。また、基準画像は、これらのフィルムの３色平均濃度に対する各色濃度や色差等の色バランス、所定の露光量に対する濃度等を抽出が可能なように、一定分布の濃度パターンや分割領域毎に異なる濃度となり予め定めた濃度勾配となるようなパターンで形成すればよい。画像特徴データ生成手段では、原画像を測光した測光値に基づいて当該原画像の特徴を表す画像特徴データを生成する。なお、画像特徴量は画像データを含み、画像特徴データは原画像から抽出したフィルム特性データに対応するデータまたはそのデータを作成可能とするデータである。画像特徴データとしては、測光データ、測光データから露光量の決定に必要なデータを選択した選択データ（例えば、高彩度データを除いたデータ）、前記測光データまたは選択データを濃度別に分類し、分類した各々の平均値、加算値及びデータ数を演算した結果、濃度ヒストグラムや色濃度差ヒストグラム、濃度累積曲線や色濃度差累積曲線等フィルム特性データに対応して採用することができる。決定手段では、記憶されたフィルム特性データ、またはフィルム特性データ及び前記画像特徴データを用いて露光量を決定するための露光演算式を決定する。この決定した演算式に基づいて露光量を露光量演算手段で求め、求めた露光量に基づいて露光制御手段で露光制御する。
【００１８】
一般的に原画像の三色バランスはフィルム種によって異なっているため、フィルム種に対応して用いる必要がある。例えば、基準画像を各色毎に所定の露光量で露光した画像を用いれば、三色の濃度を積算した色相が当該フィルムの種類に対応するグレイまたはグレイに近い色相になる。従って、得られたグレイまたはグレイに近い色相は、フィルム固有の色バランスの傾向を表し、かつ経時劣化による変化を含むフィルムの特性（３色感度バランス、３色階調バランス、３色濃度バランス等）を反映することになる。このフィルム特性データから露光演算式を決定すれば、種類の異なるフィルムや経時劣化によるフィルム等のフィルム特性の変化に拘わらず最適な露光量で露光することができる。
【００１９】
また、画像特徴データとしても、濃度に関連するデータを採用することが好ましい。焼付ける原画像が記録されたフィルムの原画像に対する測光に基づく画像特徴データは、原画像の色バランスの傾向を反映する。従って、フィルム特性データと、画像特徴データとを比較すれば、焼付けるべき原画像がフィルム固有の色バランスの傾向から外れているかを判断でき、この判断結果から露光演算式を決定すれば、経時劣化等のフィルムであっても、原画像自体の色バランスの傾向を考慮すると共にフィルム固有のグレイまたはグレイに近い一定の色相を考慮して露光量が定まり、常に高品質のプリントを得ることができる。
【００２０】
また、抽出したフィルム特性データを記憶すると共に、複数の原画像にわたる画像特徴データを記憶する。従って、記憶された画像特徴データからは三色の濃度を積算した色相が標準的なグレイまたは標準的なグレイに近い一定の色相を得ることができる。このため、フィルム特性データと、画像特徴データとを比較すれば、焼付けるべき原画像を含むフィルムが標準的な色バランスのフィルムに近いかを判断できる。この判断結果からグレイの色相に近くなるように露光演算式を決定すれば、例えばカラーフェリアの生じ易いフィルムから、カラーフェリアの影響を排除した露光量を決定することができる。
【００２１】
そこで本発明では、第１の記憶手段に抽出したフィルム特性データを記憶し、第２の記憶手段にフィルムと同一フィルム種の多数本のフィルムにわたるフィルム特性データを記憶し、第３の記憶手段にフィルムに含まれる多数コマについての前記画像特徴データを記憶し、第４の記憶手段にフィルムと同一フィルム種の多数本のフィルムにわたる多数コマについての画像特徴データを記憶する。第２の記憶手段のフィルム特性データは、複数の基準画像の三色の濃度を積算した色相が当該フィルムと同一フィルム種に関する標準的なグレイまたはグレイに近い色相に相当し、第１の記憶手段のフィルム特性データは、当該フィルム固有のグレイまたはグレイに近い色相に相当する。第４の記憶手段の画像特徴データはフィルム種に対応する原画像に関するグレイまたはグレイに近い一定の色相による一般的なフィルムの特性に相当し、第３の記憶手段の画像特徴データはプリントすべき原画像を含むフィルム自体の特性を反映することになる。従って、第１の記憶手段及び第２の記憶手段に記憶されたフィルム特性データ及び第３の記憶手段及び第４の記憶手段に記憶された画像特徴データの少なくとも２つのデータを用いれば、焼付けるべき原画像を含むフィルム自体または同一フィルム種で固有の色バランスの傾向を考慮することや焼付けるべき原画像を含むフィルムの画像に関する色バランスまたは同一フィルム種で標準的な色バランスの傾向を考慮することができ、経時劣化等のフィルム特性の変化に拘わらず常に高品質のプリントを得ることができる。
【００２２】
また、前記決定手段において、第１の記憶手段及び第２の記憶手段に記憶されたフィルム特性データ及び第３の記憶手段及び第４の記憶手段に記憶された画像特徴データの少なくとも２つのデータ及び画像特徴データ生成手段で生成された画像特徴データを用いて露光量を決定すれば、焼付けるべき原画像の画像特徴データをも考慮することができ、プリントすべき原画像の色バランス等を考慮した高品質のプリントを得ることができる。
【００２３】
前記カラー複写装置では、前記原画像の画素を選択するための画素選択手段を更に備えることができる。この画素選択手段は、前記フィルム特性データに基づいて画素を選択するようにすれば、フィルム特性データが反映された画像特徴データが生成されることになる。また、前記画像特徴データに基づいて画素を選択するようにすれば、標準的なグレイに基づく画素を選択することができる。
【００２４】
【実施例】
以下、図面を参照して本発明の第１実施例を詳細に説明する。図１は本発明が適用可能な写真焼付装置を示すものである。
【００２５】
カラーネガフィルム２０をローラ対で挟持してネガフィルムの長さ方向に搬送するネガキャリヤ２１の下方には、ミラーボックス１８及びハロゲンランプを備えたランプハウス１０が配置されている。ミラーボックス１８とランプハウス１０との間には、調光フィルタ６０が配置されている。調光フィルタ６０は、周知のように光路内に出入り可能なＹ（イエロー）フィルタ、Ｍ（マゼンタ）フィルタ、Ｃ（シアン）フィルタを含んで構成されている。
【００２６】
ネガキャリヤ２１の上方には、レンズ２２、ブラックシャッタ２４及びカラーペーパ２６が順に配置されており、ランプハウス１０から照射された光線が、調光フィルタ６０、ミラーボックス１８、ネガキャリヤ２１に装填されたネガフィルム２０、及びレンズ２２を透過し、ネガフィルム２０の原画像がレンズ２２によってカラーペーパ２６上に結像されるように構成されている。
【００２７】
ネガフィルム２０の側縁部には、ネガフィルムの種類を表すＤＸコードがバーコードによって記録されると共に、原画像が記録された各フレーム（フィルムコマ）のうちプリントが可能な原画像を有するフレーム（プリントコマ）の各々に対応してノッチが穿設されている。ネガキャリヤ２１には、このＤＸコードやノッチを検出するために、ネガフィルム２０の側縁部を挟むように配置されかつ発光素子と受光素子とで構成された検出器５２が配置されている。
【００２８】
また、ネガフィルム２０には、フィルム特性データ（後述）を得るための基準画像が記録されている。この基準画像は、ネガフィルム２０を現像処理する以前にネガフィルム２０の所定未露光部分に記録される。本実施例では、未露光部分としてフィルムコマと同一のサイズで撮影時に記録されることがない部分、例えば、最終フィルムコマの次のフィルムコマ領域を設定している。この未露光部分は、ネガフィルム２０の側縁部やフィルムコマ間を用いてもよい。
【００２９】
基準画像ＳＴは、例えば、図８（Ａ）に示すように、予め定めた露光量に対応する複数かつ段階的な低濃度の領域Ｈ１及び高濃度の領域Ｈ２からなる濃度ステップを有し、その周辺部を前記低濃度及び高濃度と異なる濃度または中濃度の領域Ｈ３となるように構成する。この基準画像ＳＴは、図８（Ｂ）に示すように、色毎に複数かつ段階的な濃度で記録される、Ｙ色の領域ＨＹ、Ｍ色の領域ＨＭ、Ｃ色の領域ＨＣ、グレーステップ画像としてのグレイの領域ＨＧ、を記録するようにしてもよい。また、図８（Ｃ）に示すように、基準画像ＳＴとして予め定めた所定露光量に対応する一様な濃度の領域Ｈ４を記録してもよく、図８（Ｄ）に示すように、基準画像ＳＴを複数の領域Ｈ５，Ｈ６，Ｈ７，Ｈ８に分割し、所定方向（図８の矢印Ａｒ方向）に沿って低濃度から高濃度に濃度が増加するように領域Ｈ５〜Ｈ８の濃度を記録してもよい。これらの基準画像からは、フィルム特性データとして、（１）フィルムの濃度（例えば、３色平均濃度）に対する色バランス（例えば、色差Ｒ−Ｇ，Ｂ−ＧやＲ，Ｇ，Ｂの各色濃度、または色差Ｒ−３色平均濃度，Ｇ−３色平均濃度，Ｂ−３色平均濃度）、（２）露光量に対するフィルム濃度（Ｈ＆Ｄ曲線）、（３）フィルムのベース（マスク）濃度、（４）単色露光発色濃度と白色露光発色濃度及びそれらの差が抽出可能である。なお、基準画像は上記に限定されるものではなく、上記（１）、（２）、（４）の少なくとも１つのフィルム特性データが抽出できる画像であればよく、例えば白黒の自然画像を原画像として露光してもよい。
【００３０】
図１の結像光学系の光軸に対して傾斜した方向でかつネガフィルム２０の原画像の濃度を測光可能な位置には、ネガフィルム２０の原画像を多数個に分割してＲ（レッド）、Ｇ（グリーン）、Ｂ（ブルー）毎に測光するＣＣＤを備えた２次元イメージセンサで構成されたスキャナ２８が配置されている。このスキャナ２８によって、ネガキャリア２１に位置決めされたプリントすべきフレーム（プリントコマ）の原画像を多数個に分割してＲＧＢの３つの波長帯に分光して測光することができる。なお、スキャナ２８は、例えば、多数のスペクトルで測光し、演算によりＲ，Ｇ，Ｂの測光値を求めるようにしてもよい。
【００３１】
スキャナ２８は、スキャナ２８で測光された測光値を対数変換してフレーム毎に記憶する測光データメモリ３０を介してパーソナルコンピュータで構成された露光量決定装置３２に接続されている。なお、測光値をパーソナルコンピュータで対数変換して測光データメモリ３０に記憶するようにしてもよい。また、測光データメモリ３０は、詳細は後述するが、プリントコマを含む１本または１連のフィルムに関する第１のフィルム特性データを記録するための第１メモリと、多数本のフィルムに関する第２のフィルム特性データを記憶するための第２メモリと、プリントコマを含む１本または１連のフィルムに関する第１の平均画像特徴データを記憶するための第３メモリと、フィルム種別に多数本のフィルムに関する第２の平均画像特徴データを記憶するための第４メモリと、を含んで構成されている。これらの第１メモリ乃至第４メモリは、測光データメモリ３０内を予め用途に応じて分割使用するための領域を設定し、対応させればよい。このように、設定することにより１つのメモリ内に複数の記憶機能を所持させることができる。また、第１メモリ乃至第４メモリを別途の構成として追加してもよい。
【００３２】
露光量決定装置３２は、入出力ポート３４、中央処理装置（ＣＰＵ）３６、リードオンリメモリ（ＲＯＭ）３８、ランダムアクセスメモリ（ＲＡＭ）４０、及びこれらを接続するデータバスやコントロールバス等を含むバス等を含んで構成されている。このＲＯＭ３８には、以下で説明する露光量制御ルーチンが記憶されている。
【００３３】
この露光量決定装置３２の入出力ポート３４は、書込み及び読み出しタイミングを制御するように測光データメモリ３０に接続されると共に、測光タイミングを制御するようにスキャナ２８に接続されている。
【００３４】
また、入出力ポート３４は、駆動回路４８を介してネガキャリア２１のローラ対を駆動するモータに接続されると共に、駆動回路５０を介して調光フィルタ６０の駆動部、駆動回路５４を介してブラックシャッタ２４の駆動部に各々接続されている。また、この入出力ポート３４には、キーボード４４、検出器５２及びＣＲＴ４６が接続されている。
【００３５】
次に、第１実施例の露光制御ルーチンを図２及び図３を参照して説明する。ネガキャリア２１にネガフィルム２０が装填されてスタートスイッチがオンされると、図２のステップ１００において、ネガキャリア２１に装填されたネガフィルム２０のフィルム特性データを導出する。ステップ１００へ進むと図３に示すフィルム特性導出ルーチンが実行され、ステップ２０２において、ネガキャリア２１を駆動することにより、ネガフィルムを搬送し、検出器でノッチを検出することにより予め定めたコマ数（例えば、撮影コマ数＋１や０）までをカウントし、基準画像のフレームをプリント位置（焼付位置）にセットする。次のステップ２０４では、プリント位置にセットされたフレームの基準画像をスキャナ２８によって多数画素に分割し、各画素についてＲ，Ｇ，Ｂの３色毎に測光すると共に全画素についての測光値を対数変換する。この測光値の対数変換値を用い次のステップ２０６において次のようにしてフィルム特性データを抽出する。
【００３６】
図８（Ａ）に示す基準画像を例にして説明する。基準画像の画像部である領域Ｈ１，Ｈ２を定め、１濃度ステップ（領域Ｈ１，Ｈ２内の一定した濃度の領域）の濃度を求める。この濃度は、１濃度ステップの中心部の濃度を求めることや中心付近の複数個の画素の平均濃度から求めることができる。求めた複数の濃度からフィルム特性データを抽出する。このフィルム特性データは、図９（Ａ）に示すように、各濃度ステップについてＧの濃度に対するＲ，Ｂの濃度を求め、各色毎の各濃度をつなぐ（補間する）ことによりフィルム特性データを抽出することができる。また、図９（Ｂ）に示すように各濃度ステップの濃度（露光量の対数でもよい）と３色の濃度との関係を求めることにより抽出してもよい。さらに、ネガフィルムの３色平均濃度が検出される場合には、図１０（Ａ）に示すように、各ステップの対応する色差Ｂ−Ｇ，Ｒ−Ｇの値を求めることにより色バランスをフィルム特性データとすることができる。また、図１０（Ｂ）に示すように、色差Ｂ−Ｇ，Ｇ−Ｂの関係から求めてもよい。
【００３７】
次のステップ２０８では、抽出されたフィルム特性データを測光データメモリ３０の第１メモリに記憶すると共に、次のステップ２１０で第２メモリに累積する。
【００３８】
なお、測光データメモリ３０に記憶するにあたり、１本または一連のフィルムに基準画像が複数存在するときには、第１メモリに、何れか１つのフィルム特性データを記憶してもよく、それらの平均値を記憶するようにしてもよい。また、第２メモリには、フィルム特性データを累積することなく、各々を個別に記憶してもよい。
【００３９】
フィルム特性データの導出が終了すると、図２のステップ１０２において、ネガキャリア２１を駆動することにより、ネガフィルムをネガフィルムの長さ方向に沿った第１の方向に搬送し、検出器でノッチを検出することによりステップ１０４で最初のフレームをプリント位置（焼付位置）にセットする。ネガフィルムを第１の方向への搬送する際には、ネガフィルムの先端から搬送を開始してもネガフィルムの後端から搬送を開始してもよい。また、フレームのエッジを検出してフレームをプリント位置にセットしてもよい。
【００４０】
ステップ１０６において、プリント位置にセットされたフレームの原画像をスキャナ２８によって多数画素に分割し、各画素についてＲ，Ｇ，Ｂの３色毎に測光し、ステップ１０８で測光値の全セット（全画素についての測光値）を対数変換し、測光値の対数変換値を測光データのセットとしてフレーム別に測光データメモリ３０に記憶する。測光データメモリ３０に記憶するにあたっては、フレームの測光データＲ，Ｇ，Ｂを定められた配列に従って記憶する。この場合、Ｒ，Ｇ，Ｂの測光データをそのまま記憶してもよく、また、メモリ容量を減少するためにデータ圧縮を行って記憶してもよい。これによって、測光データメモリ３０には測光データＲ，Ｇ，Ｂのセットがフレーム別に記憶される。
【００４１】
次のステップ１１０では、測光したフレームの数をカウントし、ステップ１１２においてカウント値からネガフィルム１本の測光が終了したか否かを判断する。ネガフィルム１本の測光が終了していない場合にはステップ１０２に戻って上記のようにネガフィルムを１フレーム分第１の方向に搬送し、測光、測光データのセットの記憶を繰り返す。これによって、メモリにはネガフィルム１本分のＲ，Ｇ，Ｂの３色毎の測光データのセットがフレーム毎に全セット、すなわち、少なくとも複写対象の全フレームの原画像の測光データのセットが記憶される。
【００４２】
ステップ１１４では、測光データのセットに基づいて、プリントするフレームの原画像を含む複数の原画像の第１の平均画像特徴データを演算するためのフレームを複数個選択し、ステップ１１６で選択したフレームの測光データのセットをメモリから読み出し、ステップ１１８で第１の平均画像特徴データを演算する。この第１の平均画像特徴データは、第３メモリに記憶される。なお、第３メモリには、選択したフレームの測光データのセットを記憶するようにしてもよい。
【００４３】
この第１の平均画像特徴データは少なくともフィルム特性データに対応したデータであって、例えば１色の濃度（例えばＧ濃度）、または３色平均濃度（（Ｒ＋Ｇ＋Ｂ）／３）に対するプリントするフレームの原画像を含む複数の原画像の測光データのセットから求めた各平均色濃度または各平均色濃度差（例えばＲ−Ｇ，Ｇ−Ｂ）を採用することができる。さらに、測光データのセットから作成した関数式またはテーブル値を用いてもよい。
【００４４】
上記プリントするフレーム（プリントコマ）の原画像を含む複数の原画像の第１の平均画像特徴データは、１本のフィルムのフレームの全てを選択し、１本のフィルムの複数の原画像の測光データのセットに基づいて演算することができる。
【００４５】
しかしながら、必ずしも１本のフィルムの全てのフレームの測光データのセットから第１の平均画像特徴データを演算する必要はなく、第１の方向に搬送して測光及び測光データのセットの記憶が終了すると、１本のフィルムの全フレーム数が判別できるので、１本のフィルムの全フレーム数に応じた数のフレームを選択し、例えば、フレーム数が３６であるならば２フレーム毎にいずれか一方のフレームを選択し、第１の平均画像特徴データを演算してもよい。
【００４６】
また、１本のフィルムの第１の平均画像特徴データから大きく偏ったフレームと判断した場合には、偏ったフレームの測光データのセットを第１の平均画像特徴データの演算に用いないようにする等のフレームの選択、すなわち測光データのセットの選択を行ってもよい。さらにまた、フレームの測光データの解析結果によって複写対象から除く場合であっても、フレームの選択結果に従い第１の平均画像特徴データの演算に用いてもよい。
【００４７】
なお、ステップ１１８で演算する第１の平均画像特徴データは、第４メモリに記憶されたフィルム種別に多数本のフィルムの多数のフレームの原画像の測光データのセットまたは測光データのセットから求めた画像特徴データから求めてもよい。この場合、測光データのセットまたは濃度値から求めた値、例えば１色の濃度（例えばＧ濃度）または３色平均濃度（（Ｒ＋Ｇ＋Ｂ）／３）に対する色特性を画像特徴データとして採用することができる。この色特性には、複数の原画像の測光データのセットから求めた各平均色濃度または各平均色濃度差（例えばＲ−Ｇ，Ｇ−Ｂ）を採用することができる。さらに、測光データのセットから作成した関数式またはテーブル値を画像特徴データとして用いてもよい。
【００４８】
次のステップ１２０では、後述するように測光データのセットを規格化するための規格化条件を決定する。
【００４９】
次のステップ１２２では、検出器５２で検出されたＤＸコードに基づいてネガフィルムの種類を判別し、次のステップ１２４では第３メモリに記憶された少なくとも複写対象の全フレームの測光データのセットをステップ１２２で判別したフィルム種に対応させて第４メモリに記憶する。従って、第４メモリにはフィルム種毎の複数本または一連のフィルムの多数のデータが記憶される。次のステップ１２６では、第１メモリに記憶されたフィルム特性データを読み取り、次のステップ１２８においてフィルム種に対応する画像特徴データと、読み取ったフィルム特性データとを用いて、変換テーブルを生成する。
【００５０】
第２メモリに記憶されたフィルム特性データと、第４メモリに記憶された画像特徴データとは、それぞれ基準画像と原画像とから抽出した対応する多数のデータが記憶され、各々平均的なデータとなり得る。このため、これらのデータを用いれば、フィルム種毎にフィルム特性データと画像特徴データとの間で以下の式（２）に示す平均的な変換式や変換テーブルを生成することができる。
【００５１】
ＦＴＣＤ＝ｆ（ＦＴＰＤ）                      ・・・（２）
但し、ＦＴＣＤ：フィルム種に対応するフィルム特性データ
ＦＴＰＤ：フィルム種に対応する画像特徴データ
【００５２】
次に、ステップ１３０では、ネガフィルムをネガキャリアから取外すことなくネガフィルムを上記第１の方向と逆方向の第２の方向に搬送し、ノッチを検出してステップ１３２で最初のフレームをプリント位置にセットする。なお、最終フレームがネガキャリアのプリント位置に位置決めされているときは、この第２の方向への搬送は不要である。
【００５３】
次のステップ１３４ではセットされたフレームの測光データのセットをメモリから読み出し、ステップ１３６においてステップ１２０で決定した規格化条件に従って測光データのセットを以下のように規格化する。
【００５４】
まず、多数の３色測光データのセットの各々から低濃度部測光データを減算することにより３色修正測光データのセットを演算する。この低濃度部測光データとしては、基準ネガフィルムやフィルムコマを含むフィルムのベース部分の測光データを使用することができる。次に、図１１に示すように予め定められた規格化カーブ（または規格化テーブル）を用いて、Ｂ、Ｒの修正測光データのセットをＧの濃度に変換することによって規格化（正規化）し、Ｂ、Ｒ、Ｇの規格化測光データのセットを求める。このように測光データを規格化するのは、ネガフィルムはフィルム種の相違や現像処理の相違によってフィルム濃度が異なることになるが、この規格化でこの濃度の異なりを補正し、同一被写体についてフィルム種の相違や現像処理の相違に拘らず一定の濃度や色となるように測光データを変換するものである。なお、規格化方法としては、上記の他特開昭５６−１０３９号公報、特開昭６１−２７３５３２号公報、特開昭６２−１４４１５８号公報に記載されている方法を使用することができる。
【００５５】
次のステップ１３８では画素を選択し、選択した画素からステップ１４０で画像特徴量を演算する。画像特徴量としては、原画像の全面または特定領域の最大濃度、最小濃度、平均濃度、人物の顔領域の平均濃度等を用いることができる。この画素の選択は、プリントすべき原画像の画像特徴データの抽出に相当する。
【００５６】
画素を選択するにあたっては、まず、図１２に示すように、規格化データＲ、Ｇの差Ｒ−Ｇを横軸とし、規格化データＧ、Ｂの差Ｇ−Ｂを縦軸とする色座標上に定められると共に、原点を含む色領域Ａ、色領域Ａ以外の色領域で所定の色差範囲の色領域Ｂ、色領域Ａ、Ｂ以外の色領域Ｃの何れの色領域に３色規格化データが属するかを判断することによって３色規格化データを分類し、この３色規格化データの分類に従って測光データの分類、すなわち画素の分類を行う。
【００５７】
３色規格化データのセットは、色領域Ａと色領域Ｂとの境界、色領域Ｂと色領域Ｃとの境界を境にして３つに分類されることになるので、３色規格化データのセットは基準値（原点）からの色差が小さい色領域に属するデータと、基準値からの色差が中程度の色領域に属するデータと、基準値からの色差が大きい色領域に属するデータとに分類される。本実施例では、ステップ１３８において、後の処理で使用する測光データとして、規格化データが色領域Ａ，Ｂ，Ｃの各々に属する測光データ、すなわち画素を分類して選択する。また、ステップ１４０では、原画像の全面または特定領域の各色毎（Ｒ，Ｇ，Ｂ）の平均濃度を求めると共に、分類して選択された各色領域に属する測光データ（画素）の個数を求めかつ各色領域に属する測光データの積算濃度値を演算する。
【００５８】
上記のように画素を選択して画像特徴量を演算する技術は、特開昭６１−１９８１４４号公報、特開昭６１−２３２４４２号公報に記載された技術を利用することができる。
【００５９】
次のステップ１４２では、ステップ１４０で求めた画像特徴量をステップ１２８で求めた変換テーブルを用いて変換することによって変換データを生成する。次のステップ１４４では第１メモリに記憶されたフィルム特性データを読み取り、次のステップ１４６において変換データと、フィルム特性データとを用いて、次の式（３）を参照し、異常コマであるかを判定するための画像判定量△ＲＧＢを求め、この画像判定量△ＲＧＢが所定値（本実施例では、０．１０）以上か否かにより、プリントコマが異常コマか否かを判定する。
【００６０】
△ＲＧＢ＝｛(Ra-Ga)2＋(Ga-Ba)2｝−｛(Rm-Gm)2＋(Gm-Bm)2｝
または
△ＲＧＢ＝｛｜Ra-Ga ｜＋｜Ga-Ba ｜｝−｛｜Rm-Gm ｜＋｜Gm-Bm ｜｝
・・・（３）
但し、Ｒａ，Ｇａ，Ｂａ：第３メモリに記憶された画像特徴データ
（画像特徴量の変換データ）
Ｒｍ，Ｇｍ，Ｂｍ：第１メモリに記憶されたフィルム特性データ
【００６１】
ステップ１４６の判定結果により次のステップ１４８において次に示す露光演算式（４）の係数ｋ１，ｋ２，ｋ３を決定することにより露光演算式を決定する。
【００６２】
Ｄ＝（k1・SDA ＋k2・SDB ＋k3・SDC ）／（k1・NA＋k2・NB＋k3・NC）
・・・（４）
但し、Ｄ    ：濃度
ＳＤＡ：領域Ａに含まれる画素の積算濃度値
ＳＤＢ：領域Ｂに含まれる画素の積算濃度値
ＳＤＣ：領域Ｃに含まれる画素の積算濃度値
ＮＡ  ：領域Ａに含まれる画素の個数
ＮＢ  ：領域Ｂに含まれる画素の個数
ＮＣ  ：領域Ｃに含まれる画素の個数
【００６３】
例えば上記の係数は、△ＲＧＢ＜０．１０の場合にｋ１＝１０、ｋ２＝１０、ｋ３＝０、と決定し、また、△ＲＧＢ≧０．１０の場合にｋ１＝１０、ｋ２＝１０、ｋ３＝１０、と決定する。
【００６４】
そして、次のステップ１５０において決定した係数による露光演算式から求まる濃度値により露光量を決定し、ステップ１５２で決定した露光量に応じて調光フィルタ６０を制御して露光を行い、プリントを作成する。ステップ１５４では、フィルム１本分の露光が終了したか否を判断し、フィルム１本分の露光が終了していない場合には、ステップ１３０に戻って上記の処理を繰り返す。一方、フィルム１本分の露光が終了したときには、ステップ１５６において次の１本分のフィルムの露光処理を行うために測光データメモリ３０に記憶されている第１メモリ及び第２メモリをクリアする。
【００６５】
このように、画像判定量が、△ＲＧＢ＜０．１０の場合には、異常コマではないと判定し、高い彩度の画素を露光量の決定に用いていないので、カラーフェリアを防止することができる。一方、△ＲＧＢ≧０．１０の場合には、異常コマであると判定し、高い彩度の画素も露光量の決定に用いることによって、経時劣化したフィルムに含まれる原画像の色の変化、昼光以外の撮影光源に起因するフィルムに含まれる原画像の色の変化、特性バラツキに起因するフィルムに含まれる原画像の色の変化を補正するように露光量を決定することができる。
【００６６】
上記で決定した係数ｋ１，ｋ２，ｋ３の各々の値を変更することにより、カラーコレクションの程度を変更することができる。
【００６７】
なお、上記では、画素を選択する際の色座標上における色領域の分類を３種類にした場合を説明したが、更に細分してもよいことは勿論である。例えば、図１３に示すように、図１２に示した色座標上に、原点を視点とする直線Ｌ１，Ｌ２，Ｌ３，Ｌ４で色領域を更に細分化する。すなわち、図１２の色領域Ａを色領域Ａ１，Ａ２，Ａ３，Ａ４に、色領域Ｂを色領域Ｂ１，Ｂ２，Ｂ３，Ｂ４に、色領域Ｃを色領域Ｃ１，Ｃ２，Ｃ３，Ｃ４に、色領域Ｄを色領域Ｄ１，Ｄ２，Ｄ３，Ｄ４に、細分化する。この何れの色領域に３色規格化データが属するかを判断することによって３色規格化データを分類し、この３色規格化データの分類に従って測光データの分類（画素の分類）を行う。このようにすることによって、カラーフェリアを起こす被写体の鮮やかな色と撮影光源色やフィルムの特性変化による色の偏りとを区別し易くなり、また画像判定量が、△ＲＧＢ≧０．１０の場合であっても赤色の画素や黄色の画素を条件付きで露光量を決定するための画素から除外することができ、異常コマと判定された場合であっても赤色や黄色の被写体に対しても高い品質のプリントを得ることができる。
【００６８】
また、露光量の決定は、上記に限定されるものではなく、例えば次の式（５）を用いてもよい。
【００６９】
Ｄｉ＝Ｄｐｉ−Ｄｎｉ
Ｄｗ＝（ΣＤｉ）／３
ｌｏｇＥｉ＝Ｓｉ・｛Ｃｉ（Ｄｉ−Ｄｗ）＋Ｄｗ｝          ・・・（５）
但し、Ｄｐｉ：プリントコマの原画像の画像濃度
Ｄｎｉ：基準フィルムの原画像の画像濃度
Ｃｉ  ：カラーコレクション係数
Ｓｉ  ：スロープコントロール値（Ｄｉ＜０のときアンダースロープ係数                                              Ｄｉ≧０のときオーバースロープ係数                                              を用いる）
Ｅｉ  ：露光量
ｉ  ：Ｒ，Ｇ，Ｂの何れか１つの色
【００７０】
上記画像濃度は、例えば、全画面平均濃度、画像中の最大中性色濃度等を用いることができる。上記では、△ＲＧＢ＜０．１０の場合にはＣｉ＝０．６（ノーマルコレクション値）と決定し、△ＲＧＢ≧０．１０の場合にはＣｉ＝１．０（ハイコレクション値）と決定する。
【００７１】
また、上記の式（５）に代えて次の式（６）を用いてもよい。
【００７２】
Ｄｉ＝Ｄｐｉ−Ｄｎｉ
Ｄｐｉ＝Ｋａ・Ｄ０＋Ｋｂ・Ｄ１
Ｄｗ＝（ΣＤｉ）／３
ｌｏｇＥｉ＝Ｓｉ・｛Ｃｉ（Ｄｉ−Ｄｗ）＋Ｄｗ｝＋Ｃｂ    ・・・（６）
但し、Ｄｐｉ：プリントコマの原画像の露光濃度
（複写露光量を求めるための濃度）
Ｄｎｉ：基準フィルムの原画像の画像濃度
Ｃｉ  ：カラーコレクション係数
Ｓｉ  ：スロープコントロール値（Ｄｉ＜０のときアンダースロープ係数                                      Ｄｉ≧０のときオーバースロープ係数                                      を用いる）
Ｅｉ  ：露光量
ｉ  ：Ｒ，Ｇ，Ｂの何れか１つの色
Ｋａ，Ｋｂ：係数（例えば、各０．５）
Ｄ０  ：プリントコマの原画像の画像特徴データ
Ｄ１  ：メモリに記憶されたデータ
Ｃｂ  ：定数
上記画像濃度は、上記と同様に決定する
【００７３】
係数ｋ１，ｋ２，ｋ３は、原画像中の色特性にとり決定するが、係数Ｋａ，Ｋｂは、画像判別量の値に応じて次のように決定する。
【００７４】
△ＲＧＢ＞０．１４のとき、Ｋａ＝０．９，Ｋｂ＝０．１
０．１４≧△ＲＧＢ＞０．１０のとき、Ｋａ＝０．７，Ｋｂ＝０．３
０．１０≧△ＲＧＢ          のとき、Ｋａ＝０．５，Ｋｂ＝０．５
【００７５】
この係数Ｋａ，Ｋｂの値は、画像判別量△ＲＧＢについて予め関数を定めておき、この関数から求めた値を用いてもよい。
【００７６】
また、原画像中の色特性（例えば、画素数ＮＡ，ＮＢ，ＮＣ等）によって係数Ｋａ，Ｋｂを決定してもよい。例えば、画像判別量が△ＲＧＢ＞０．１４でタングステン色の色領域の画素の個数が多いときにタングステン光源による撮影と判定し、予め用意したタングステン光源用の係数を用いることができる。
【００７７】
この係数を露光パラメータとして１本または一連のフィルムの原画像に対して共通の値を用いれば、１本または一連のフィルムに対して色及び濃度のバラツキを抑えることができ、一定でかつ良好な仕上がりのプリントを得ることができる。この露光パラメータは、同一の露光パラメータ決定法を用いてもよい。この露光パラメータ決定方法は、露光パラメータを関数式で求めるときに画像判定量△ＲＧＢが大きいと関数式中の初期値や定数に高い値を１本または一連のフィルムに含まれるプリントコマに対して共通の値を用いることがある。
【００７８】
第１の平均画像特徴データの演算は、上記の例では第１の方向へネガフィルムを搬送してフレーム別に原画像の測光データを記憶した後、第２の方向への搬送開始前に行っているが、変則的に、例えば、１本のネガフィルムの後半部のフレームの測光データから演算した第１の平均画像特徴データを用い、第２の方向への搬送中に前半部の測光値から求めた第１の平均画像特徴データを後半部のフレームの測光データから求めた第１の平均画像特徴データを追加する等、種々の変形を採用することができる。
【００７９】
なお、上記実施例では、測光データのセットをフレーム毎に記憶しているが、測光時に測光データのセットから上記で説明した色特性や濃度についての原画像の特徴を表す画像特徴量を生成し、生成された画像特徴量をフレーム毎に記憶するようにしてもよい。また、画素の色を求め、求めた色に関して上記色座標上（図１２等）で分類した画素を選択して記憶してもよい。
【００８０】
このように、本実施例では、ネガフィルム２０のフィルム種に対応する画像特徴データと、プリントコマを含むネガフィルム２０のフィルム特性データとの関係を、平均的なデータとなり得る多数のデータが記憶された第２メモリのフィルム特性データと、第４メモリの画像特徴データとから求めている。このため、プリントコマを含むネガフィルム２０のフィルム特性データと比較する画像特徴データを、多数の画像特徴データから得られる、すなわち昼光で撮影された画像のデータとして扱って異常コマを判定することができる。この判定結果から露光量が決定されるので、昼光で撮影したように原画像を焼付けることができる。
【００８１】
また、画像判定量から異常コマではないと判定したとき、高い彩度の画素を露光量の決定に用いないので、カラーフェリアを防止することができ、異常コマであると判定したとき、高い彩度の画素も露光量の決定に用いることによって、経時劣化したフィルムに含まれる原画像の色の変化、昼光以外の撮影光源に起因するフィルムに含まれる原画像の色の変化、特性バラツキに起因するフィルムに含まれる原画像の色の変化を補正するように露光量を決定することができる。
【００８２】
次に、第２実施例を図４の露光制御ルーチンを参照して説明する。本実施例は、プリントコマを含む１本または一連のフィルムのフィルム特性データである第１メモリのデータと、同一フィルム種で多数本にわたるフィルムについてのフィルム特性データである第２メモリのデータと、から露光演算式を決定するようにしたものである。本実施例は、上記実施例と略同様の構成であるため、同一部分には同一符号を付し詳細な説明は省略する。
【００８３】
ステップ１０６において、測光された原画像の測光値の全セット（全画素についての測光値）をステップ１６０で対数変換し、測光値の対数変換値（すなわち、濃度値）を測光データのセットとして演算する。次のステップ１６２では、上記ステップ１１４〜１２０と同様に測光データのセットを規格化するための規格化条件を決定し、次のステップ１６４で上記ステップ１３４と同様に規格化条件に従って測光データのセットを規格化する。この場合、第３メモリの画像特徴データのコマ数が少ないときはフィルム種を検出しフィルム種に対応する第４メモリのデータを用いることが好ましい。ステップ１６４は、各画素の色決定に相当する。次のステップ１６６では、規格化された測光データのセットのうち、予め定めた除去すべき高彩度の画素を選択して除去し、次のステップ１６８で除去された画素以外の画素の濃度値、すなわち測光データのセットを測光データメモリ３０内の第３メモリに記憶する。従って、第３メモリには高彩度の画素を除いた画素の濃度値が記憶される。
【００８４】
次のステップ１７０では、上記の露光演算式（４）で使用される積算濃度値及び画素数を求め、次のステップ１７２において求めた積算濃度値及び画素数をフレーム別に測光データメモリ３０に記憶する。ステップ１１２でネガフィルム１本の測光が終了していないと判断された場合にはステップ１０２に戻る。これによって、メモリにはネガフィルム１本に含まれる原画像の測光データのセットから高彩度の画素を除いた画素の濃度値が記憶されると共に、積算濃度値及び画素数がフレーム毎に全セット、すなわち、少なくとも複写対象の全フレームについて記憶される。
【００８５】
ステップ１１４ではネガフィルムの種類を判別し、次のステップ１７４では第１メモリに記憶されたネガフィルム２０のフィルム特性データを読み出し、次のステップ１７６で第２メモリに記憶された同一フィルム種の多数本のフィルム特性データを読みだす。これらのフィルム特性データを用いて、次のステップ１７８で、上記ステップ１４６の異常コマの判定と同様にしてプリント対象であるフィルムが異常フィルムであるか否かを判定する。
【００８６】
第１メモリに記憶されたフィルム特性データは、現像特性、フィルム特性、生経時による変化が生じたネガフィルムのフィルム特性が反映される。また、第２メモリに記憶されたフィルム特性データは、第１メモリに記憶されたフィルム特性データの平均であることから、第１メモリと第２メモリのフィルム特性データを比較することによって、現像特性、フィルム特性、生経時による変化を検知することができる。なお、フィルム特性データのばらつきは、基準画像の露光装置の管理データや基準画像を露光した現像所等を表すＩＤが検知できるようにすれば、予測可能である。従って、現像特性、フィルム特性、生経時による変化を検知し異常フィルムと判定したときは、カラーコレクションが高くなるようにパラメータを設定すればよい。また、第１メモリからのデータであるフィルム特性データと、第３メモリからのデータである画像特徴データと、プリントコマの測光データと、の各々に付与する重み係数を設定し、各データの各々に設定された重み係数を付して加えた値に基づいて露光量を決定する場合には、第１メモリからのデータであるフィルム特性データと、第３メモリからのデータである画像特徴データと、プリントコマの測光データとの少なくとも１つのデータに対し、重みが大きくなるように重み係数を設定し露光量を決定するようにしてもよい。
【００８７】
本実施例では、ステップ１７４で読みだした第１メモリのフィルム特性データと、ステップ１７６で読みだした第２メモリのフィルム特性データを用いて、上記式（３）を参照し、画像判定量△ＲＧＢを求め、この画像判定量△ＲＧＢが所定値（０．１０）以上か否かにより、フィルムが異常フィルムか否かを判定する。
【００８８】
この判定結果により次のステップ１８０において上記ステップ１４８と同様に上記露光演算式（４）の係数ｋ１，ｋ２，ｋ３、または上記露光演算式（６）の係数ｋ１，ｋ２，ｋ３、Ｋａ，Ｋｂを決定することにより露光演算式を決定する。
【００８９】
次に、ネガフィルムを搬送しフレームをプリント位置にセットし（ステップ１３０、１３２）、次のステップ１８２においてメモリからフレーム（プリントコマ）の積算濃度値及び画素数を読み取り、決定した係数による露光演算式から求まる濃度値による露光量に応じて調光フィルタ６０を制御して露光を行う（ステップ１５０、１５２）。
【００９０】
このように、本実施例では、１本または１連のフィルムの種別に対応する安定したフィルム特性データと、プリントすべきフィルムのフィルム特性データとから異常フィルムを判定している。このため、期限切れ、高温や高湿での長期放置、及び放射線カブリ等の未撮影の状態でフィルム保存時にフィルム特性が変化したネガフィルムを多数のフィルム特性と異なる異常フィルムとして正確に判定することができる。また、乳番（ロット番号）、ロットのばらつき、製造バラツキ、及び現像処理バラツキ等のフィルム特性が多数のフィルム特性と異なるフィルムを異常フィルムとして正確に判定することができる。
【００９１】
このため、異常フィルムでないときに高い彩度の画素を露光量の決定に用いずにカラーフェリアを防止することができると共に、異常フィルムのときに高い彩度の画素も露光量の決定に用いることによって、フィルム特性が変化したフィルムに含まれる原画像の色の変化、特性バラツキに起因するフィルムに含まれる原画像の色の変化を補正するように露光量を決定することができる。
【００９２】
また、弱い経時劣化したネガフィルムやフィルム特性が多数のフィルムと異なるフィルムに対しても、正常フィルムと異常フィルムとの中間値を採用することができ、良好なカラーコレクション値を決定することができる。その結果、全てのフィルムについて良好な露光量の決定が可能となり、高品質のプリントが作成できる。
【００９３】
さらに、１本のフィルム内、一連のフィルム内、またはフィルム間について均一なプリント品質で高品質のプリントが作成できる。
【００９４】
また、本実施例では、第３メモリのデータから得た第１の平均画像特徴データは高彩度の被写体に相当する画素が除外されるので、偏った被写体を多く含むネガフィルムにおいても第１の平均画像特徴データが高い精度で求められる。その結果、高い精度で露光量の決定が可能となり、高品質のプリントが作成できる。
【００９５】
次に、第３実施例を図５の露光制御ルーチンを参照して説明する。本実施例は、プリントコマを含む１本または一連のフィルムのフィルム特性データである第１メモリのデータと、このフィルムに含まれるプリントコマの原画像の平均画像特徴データである第１の平均画像特徴データである第３メモリのデータと、から露光演算式を決定するようにしたものである。本実施例の露光制御ルーチンは、図４のステップ１７６に代えて、第１の平均画像特徴データである第３メモリのデータを読みだすステップ１８６を実行する。図４の露光制御ルーチンと略同様の構成であるため、同一部分には同一符号を付し詳細な説明は省略する。
【００９６】
図５のステップ１８６では、第３メモリに記憶されたネガフィルム２０の画像特徴データを読み出し、第１の平均画像特徴データを演算する。次のステップ１７８では、ステップ１７４のフィルム特性データとステップ１８４の第１の平均画像特徴データとを用いて、プリントするネガフィルムが異常フィルムであるか否かを判定する。
【００９７】
第３メモリに記憶された画像特徴データによる第１の平均画像特徴データは、第１メモリに記憶されたフィルム特性データによるフィルム特性からさらに潜像経時による影響、撮影光源による影響、画像特徴データのばらつきによる影響を受けている可能性がある。従って、プリントするフィルムに記録された基準画像から得られる第１メモリに記憶されたフィルム特性データと、第３メモリに記憶された平均画像特徴データとを比較することによって、潜像経時、撮影光源、画像特徴データのばらつきを検知することができる。
【００９８】
画像特徴データのばらつきは、１本のフィルムのコマ数が少ないときや、１本のフィルムの原画像の色が偏っているとき（例えば、１本のフィルムの殆どがＧ色の被写体である場合）に生じる。コマ数が少ないか否かは、ＤＸコードやノッチを検出することによって検知できる。また、画像特徴データのばらつきによる影響か、撮影光源による影響かは、プリントコマの測光データのセットの色、すなわち原画像の色を解析することによって判別できる。さらに、画像特徴データのばらつきによる影響か、潜像経時による影響かは、第１メモリに記憶されたフィルム特性データと、画像特徴データの階調または濃度に対する色バランスとを比較することによって推定できる。この推定は、上記実施例で説明したように、式（２）に示す変換式や変換テーブルによってフィルム特性データと画像特徴データを対応させることが好ましい。これによって、潜像経時、撮影光源、画像特徴データのばらつきを検知し異常フィルムと判定したときは、カラーコレクションが高くなるようにパラメータを設定すればよい。また、上記実施例と同様に、第１メモリからのデータであるフィルム特性データと、第３メモリからのデータである画像特徴データと、プリントコマの測光データとの少なくとも１つのデータに対し、重みが大きくなるように重み係数を設定し露光量を決定するようにしてもよい。
【００９９】
このように、本実施例では、１本または１連のフィルムのフィルム特性データと、プリントすべきフィルムのフィルム特性データとから異常フィルムを判定している。このため、潜像退行、及び放射線カブリ等のフィルム保存時にフィルム特性が変化した経時劣化したネガフィルムを、基準画像から得られるフィルム特性データから予測されるフィルムと異なる異常フィルムとして正確に判定することができる。また、昼光以外の撮影光源、及び冬日や日陰等の撮影光源の色温度変化、及び画像特徴データバラツキ等のフィルム特性によるネガフィルムを、基準画像から得られるフィルム特性データから予測されるフィルムと異なるフィルムを異常フィルムとして正確に判定することができる。
【０１００】
このため、異常フィルムでないときに高い彩度の画素を露光量の決定に用いずにカラーフェリアを防止することができると共に、異常フィルムのときに高い彩度の画素も露光量の決定に用いることによって、経時劣化したフィルムに含まれる原画像の色の変化、昼光以外の撮影光源に起因するフィルムに含まれる原画像の色の変化、特性バラツキに起因するフィルムに含まれる原画像の色の変化を補正するように露光量を決定することができる。
【０１０１】
次に、第４実施例を図６の露光制御ルーチンを参照して説明する。本実施例は、プリントすべきフィルムのフィルム種と同一の多数本のフィルムのフィルム特性データである第２メモリのデータと、プリントすべきフィルムフィルムに含まれるプリントコマの原画像の平均画像特徴データである第１の平均画像特徴データである第３メモリのデータと、から露光演算式を決定するようにしたものである。本実施例の露光制御ルーチンは、図５のステップ１７４に代えて、第２メモリのデータを読みだすステップ１８４を実行する。なお、図４の露光制御ルーチンと略同様の構成であるため、同一部分には同一符号を付し詳細な説明は省略する。
【０１０２】
図６のステップ１８４では、第２メモリに記憶された同一フィルム種の多数本のフィルム特性データを読みだし、次のステップ１８６で第３メモリに記憶されたネガフィルム２０の画像特徴データを読み出し、第１の平均画像特徴データを演算する。次のステップ１７８では、フィルム特性データと平均画像特徴データとを用いて、プリントするネガフィルムが異常フィルムであるか否かを判定する。
【０１０３】
第２メモリに記憶されたフィルム特性データは、同一フィルム種の多数本のフィルムに関するフィルム特性データであるため、そのフィルム種における固有の製造ばらつきや現像ばらつきの影響を受けた平均的なデータである。一方、第３メモリに記憶された平均画像特徴データは、上記で説明したように、潜像経時による影響や撮影光源による影響を受けている可能性があり、さらに現像処理による影響を受けている可能性がある。従って、第２メモリの多数本に関するフィルム特性データと、第３メモリのプリントフィルムに関する平均画像特徴データとを比較することによって、経時、撮影光源、現像処理によるフィルム特性の変換を検知することができる。なお、第３メモリによる平均画像特徴データは、上記実施例で説明したように、式（２）に示す変換式や変換テーブルによってフィルム特性データと画像特徴データを対応させることが好ましい。これによって、経時、撮影光源、現像処理によるフィルム特性の変化を検知し異常フィルムと判定したときは、カラーコレクションが高くなるようにパラメータを設定すればよい。また、上記実施例と同様に、第１メモリからのデータであるフィルム特性データと、第３メモリからのデータである画像特徴データと、プリントコマの測光データとの少なくとも１つのデータに対し、重みが大きくなるように重み係数を設定し露光量を決定するようにしてもよい。
【０１０４】
このように、本実施例では、同一フィルム種の多数本のフィルムのフィルム特性データと、プリントすべきフィルムのフィルム特性データとから異常フィルムを判定している。このため、期限切れ、潜像退行、高温や高湿での長期放置、及び放射線カブリ等のフィルム保存時にフィルム特性が変化した経時劣化したネガフィルムを多数のフィルム特性と異なる異常フィルムとして正確に判定することができる。また、昼光以外の撮影光源、及び冬日や日陰等の撮影光源の色温度変化、乳番（ロット番号）、ロットのばらつき、製造バラツキ、及び現像処理バラツキ等のフィルム特性が多数のフィルム特性と異なるフィルムを異常フィルムとして正確に判定することができる。
【０１０５】
次に、第５実施例を図７の露光制御ルーチンを参照して説明する。本実施例は、プリントすべきフィルムのフィルム特性データである第１メモリのデータと、プリントすべきフィルムに含まれるプリントコマの原画像の平均画像特徴データである第１の平均画像特徴データである第３メモリのデータと、プリントコマの画像特徴データとから露光演算式を決定するようにしたものである。なお、図５の露光制御ルーチンと略同様の構成であるため、同一部分には同一符号を付し詳細な説明は省略する。
【０１０６】
図７のステップ１１４では、ネガフィルムの種類を判別し、次のステップ１７４では第１メモリに記憶されたネガフィルム２０のフィルム特性データを読み出し、次のステップ１８６では、第３メモリに記憶されたネガフィルム２０の画像特徴データを読み出し、第１の平均画像特徴データを演算する。次のステップ１８８では、これからプリントするプリントコマの画像特徴データをメモリから読み出し、次のステップ１９０おいて、第１メモリに記憶されたネガフィルム２０のフィルム特性データ、第３メモリに記憶されたネガフィルム２０の平均画像特徴データ、及びプリントコマの画像特徴データを用いて、プリントコマが異常コマであるか否かを判定する。
【０１０７】
ステップ１９０の判定結果により次のステップ１４８において上記露光演算式（４）の係数ｋ１，ｋ２，ｋ３、または上記露光演算式（６）の係数ｋ１，ｋ２，ｋ３、Ｋａ，Ｋｂを決定することにより露光演算式を決定する。
【０１０８】
次に、ネガフィルムを搬送しフレームをプリント位置にセットし（ステップ１３０、１３２）、次のステップ１８２においてメモリからフレーム（プリントコマ）の積算濃度値及び画素数を読み取り、決定した係数による露光演算式から求まる濃度値による露光量に応じて調光フィルタ６０を制御して露光を行う（ステップ１５０、１５２）。次のステップ１９２では、フィルム１本分の露光が終了したか否を判断し、フィルム１本分の露光が終了していない場合には、ステップ１８８に戻って上記の処理を繰り返す。一方、フィルム１本分の露光が終了したときには、ステップ１５６において次の１本分のフィルムの露光処理を行うために測光データメモリ３０に記憶されている第１メモリ及び第２メモリをクリアする。
【０１０９】
第３メモリに記憶された画像特徴データによる第１の平均画像特徴データは、上記で説明したように第１メモリに記憶されたフィルム特性データによるフィルム特性からさらに潜像経時による影響、撮影光源による影響、画像特徴データのばらつきによる影響を受けている可能性があり、第１メモリに記憶されたフィルム特性データと、第３メモリに記憶された平均画像特徴データとを比較することによって、潜像経時、撮影光源、画像特徴データのばらつきを検知することができる。
【０１１０】
ところが、プリントコマには、撮影時における固有の変化、例えば撮影光源の変化が生じることがある。従って、第１メモリに記憶されたフィルム特性データ及び第３メモリに記憶された平均画像特徴データに加え、さらにプリントコマの画像特徴データを比較することによって、撮影時に生じたプリントコマ固有の変化（撮影光源の変化）を検知できる。これによって、撮影光源によるプリントコマ固有のフィルム特性の変化を検知し異常コマと判定したときは、カラーコレクションが高くなるようにパラメータを設定すればよい。また、上記実施例と同様に、第１メモリからのデータであるフィルム特性データと、第３メモリからのデータである画像特徴データと、プリントコマの測光データとの少なくとも１つのデータに対し、重みが大きくなるように重み係数を設定し露光量を決定するようにしてもよい。
【０１１１】
このように、本実施例では、１本または１連のフィルムのフィルム特性データと、プリントすべきフィルムのフィルム特性データと、プリントコマの画像特徴データから異常コマを判定している。このため、昼光以外の撮影光源、及び冬日や日陰等の撮影光源の色温度変化、及び画像特徴データバラツキ等のフィルム特性によるプリントコマを、異常コマとして正確に判定することができる。
【０１１２】
本実施例では、第１実施例のように、画像特徴量を求めてプリントコマの画像特徴データを求めてもよい。
【０１１３】
上記実施例では、原画像の画素を選択し選択した画素を用いて画像特徴量を演算したり、濃度を求めたりしているが、本発明は画素選択に限定されるものではなく、原画像を測光したデータ自体をメモリに記憶（第３メモリ）しこの記憶されたデータと、基準画像から得たフィルム特性データ（第１メモリ）とから露光量を決定してもよい。この場合の第３メモリに記憶されるデータは、被写体の種類の影響が大きい。従って、基準画像から得たフィルム特性データと、原画像の測光により得たデータまたはプリントコマのデータとから、プリントすべきフィルムの特性について平均的なフィルムの特性からの偏りの度合いを検知できる。これにより、この偏りの度合いに応じて、カラーコレクション係数を設定すれば、被写体の種類に拘わらず、カラーフェリアを防止して原画像を焼付けることができる。
【０１１４】
また、上記実施例では、画素の選択を画像特徴データに基づいて行っているが、本発明はこれに限定されるものではなく、基準画像から得たフィルム特性データ（第１メモリ）及びフィルム種毎に記憶された多数本のフィルムに関するフィルム特性データ（第２メモリ）の少なくとも一方を用いて画素を選択するようにしてもよい。このフィルム特性データは、撮影時の光源や撮影装置のレンズ系を透過した光により記録されたものではない基準画像を測光したデータによるものなので、予め定めた係数の付加によってフィルム特性データを略昼光においてグレイを撮影した状態のデータに変換して用いることが好ましい。また、基準画像を記録するときには、露光する光を、昼光が撮影装置のレンズ系を透過した光と略一致するように分光分布を調整することが好ましい。
【０１１５】
また、上記実施例では、画像特徴データを蓄積し蓄積した画像特徴データを画素の選択や露光量の決定に用いた場合について説明したが、本発明はこれに限定されるものではなく、測光による画像特徴データのみを用いてもよい。上記で説明したように、画素の選択はフィルム特性データ、フィルム種に対応するフィルム特性データ、または画像特徴データに基づいて行うことができる。基準画像を記録する光の分光分布を、昼光が撮影装置のレンズ系を透過した光と略一致するように調整した場合には、フィルム特性が変化しても測光による画像特徴データに比べてフィルム特性データの方が被写体色に相当する色の特定が容易であるので、画素をより正確に選択できる。また、フィルム種に対応するフィルム特性データも、そのフィルム種のフィルム特性データの平均的なデータであるので、色の偏り等が生じている可能性が高い画像特徴データより、画素をより正確に選択できる。従って、フィルム特性データ、フィルム種に対応するフィルム特性データ、及び画像特徴データの少なくとも２つのデータに基づいて露光演算式を決定、すなわち、上記各係数を決定し、フィルム特性データ及びプリントコマの画像特徴データを用いて露光量を決定すれば、被写体の種類に拘わらず、カラーフェリアを防止して原画像を焼付けることができる。
【０１１６】
以上説明した各実施例における異常コマまたは異常フィルムを判定するためのデータの組み合わせによって可能なフィルム特性の変化を次の表１に示した。
【０１１７】
【表１】
0003583184.tif 000002
【０１１８】
なお、上記の実施例で、第３メモリに記憶される画像特徴データは、必要精度を得るまでプリントコマを進めて測光し、その後に最初のプリントコマに戻してもよい。同様の技術として、特開平４−１５９５３４号公報に記載されている方法を使用することができる。また、順次プリントしながら第１のメモリに蓄積するようにする場合には、第１プリントコマでは、その原画像の測光データのセットのみを有することとなる。従って、判別量△ＲＧＢに比較値（Ｋrgb ）を乗じ、第１のメモリに記憶されたデータのセット数によりこの比較値を変更するようにすることが好ましい。比較値の演算例としては、Ｋrgb ＝０．１５−（セット数）／１００００を採用することができる。但し、この場合の比較値はＫrgb ≧０．１０とする。この比較値は、第３メモリに記憶したデータと第４メモリに記憶したデータとの差の統計的なデータから決定してもよい。例えば、第３メモリに記憶したデータと第４メモリに記憶したデータとの差のヒストグラムの標準偏差を用いて決定することができる。
【０１１９】
なお、上記各実施例では第１の方向と第２の方向が逆の場合について説明したが、特開昭５９−２２０７６１号公報に記載されているように、測光部と露光部の間が約１本のフィルムに相当する間隔のある装置の場合には、第１の方向と第２の方向とを同じ方向にしてもよい。
【０１２０】
また、本発明をネガフィルムの全面に透明磁気層を塗布し、この磁気層に磁気情報を記録する場合には、同時プリント時の第１の方向への搬送工程で磁気記録情報読み出し、同時プリント時の第２の方向への搬送工程でマニュアル修正を含む濃度補正量情報を記憶するか、または色補正量情報を追加記録してもよい。
【０１２１】
このように情報を記録した場合には、再注文の場合、第１の方向の搬送工程でフィルムに記録した補正量情報を読み取り、補正量の有無の判定を行なう。そして、補正量情報が記録されていた場合には、記録されていた補正量情報が各フレームに対応するよう補正量情報を整理すると共に測光し、第２の方向への搬送工程で基本露光量を演算して、読み取った補正量を加算して露光量を決定し、この露光量に基づいてプリントする。また、この場合には、スキャニングにより求めた測光データに基づいて露光量を演算し、演算結果と補正量とを比較し、露光量または補正量を選択してプリントしてもよい。なお、これらマニュアル修正量、又はマニュアル修正量を含む補正情報はフィルムのトップまたはラストのリーダに記憶してもよい。
【０１２２】
【発明の効果】
以上説明したように本発明によれば、フィルムに記録された基準画像を測光して得たフィルム特性データ及び同一フィルム種の多数から得たフィルム特性データ、並びにフィルムに含まれる多数コマの画像特徴データ及び同一フィルム種の多数の画像特徴データの少なくとも２つのデータを用いて露光量を決定しているので、焼付けるべき原画像を含むフィルム自体または同一フィルム種で固有の色バランスの傾向を考慮することや焼付けるべき原画像を含むフィルムの画像に関する色バランスまたは同一フィルム種で標準的な色バランスの傾向を考慮してフィルム特性の変化に拘わらず常に高品質のプリントを得ることができる、という効果がある。
【０１２３】
また、更に画像特徴データ生成手段で生成された画像特徴データを用いて露光量を決定することで、プリントすべき原画像を考慮してフィルム特性の変化に拘わらず常に高品質のプリントを得ることができる、という効果がある。
【図面の簡単な説明】
【図１】本発明の実施例に使用可能な写真焼付装置を示す概略図である。
【図２】本発明の第１実施例の露光量制御ルーチンを示す流れ図である。
【図３】本発明のフィルム特性導出ルーチンを示す流れ図である。
【図４】本発明の第２実施例の露光量制御ルーチンを示す流れ図である。
【図５】本発明の第３実施例の露光量制御ルーチンを示す流れ図である。
【図６】本発明の第４実施例の露光量制御ルーチンを示す流れ図である。
【図７】本発明の第５実施例の露光量制御ルーチンを示す流れ図である。
【図８】ネガフィルムに記録された基準画像を示すイメージ図である。
【図９】基準画像からフィルム特性データを抽出するための特性曲線を示す線図である。
【図１０】基準画像からフィルム特性データを抽出するための他の特性曲線を示す線図である。
【図１１】測光データを規格化するための規格化テーブルを示す線図である。
【図１２】３色規格化データを分類するための色座標を示す線図である。
【図１３】３色規格化データを分類するための他の色座標を示す線図である。
【符号の説明】
ＳＴ    基準画像
２０    フィルム
２１    ネガキャリア
２８    スキャナ
【図１】
0003583184.tif 000003
【図２】
0003583184.tif 000004
【図３】
0003583184.tif 000005
【図４】
0003583184.tif 000006
【図５】
0003583184.tif 000007
【図６】
0003583184.tif 000008
【図７】
0003583184.tif 000009
【図８】
0003583184.tif 000010
【図９】
0003583184.tif 000011
【図１０】
0003583184.tif 000012
【図１１】
0003583184.tif 000013
【図１２】
0003583184.tif 000014
【図１３】
0003583184.tif 000015